(57)【要約】【課題】カバーをケースから容易に取り外すことができる電力制御ユニットを提供する。【解決手段】ＰＣＵ１は、開口部５を有していて電力変換器が収容されるケース２と、ケース２の前記開口部の周縁８にＦＩＰＧが塗布された状態で開口部５を塞ぐようにしてケース２に取り付けられるカバー３とを備える。カバー３には、ドライバーＤを挿入可能でケース２の開口部５が開口する方向に貫通する工具挿入孔１１が形成され、かつ周縁８と接触する接触部９よりもケース２の外部側に突出する突出部１０と、カバー３の裏面側から工具挿入孔１１に挿入されたドライバーＤを受け止める膨出部７とが設けられている。【選択図】図４
2019106810.tif 000002
【特許請求の範囲】
【請求項１】
開口部を有していて電力変換器が収容されるケースと、
前記ケースの前記開口部の周縁に液状のシール材が塗布された状態で前記開口部を塞ぐようにして前記ケースに取り付けられるカバーと、
を備える電力制御ユニットであって、
前記カバーには、棒状に延びる工具を挿入可能で前記ケースの前記開口部が開口する方向に貫通する工具挿入孔が形成され、かつ前記周縁と接触する接触部よりも前記ケースの外部側に突出する突出部と、前記工具挿入孔に前記カバーの裏面側から挿入された前記工具を受け止める工具受け部とが設けられている電力制御ユニット。
【発明の詳細な説明】
【技術分野】
【０００１】
本発明はインバータ等の電力変換器を備えた電力制御ユニットに関する。
【背景技術】
【０００２】
電気部品が収容されたケースの開口部の周縁にシール材が塗布された状態で開口部がカバーにて塞がれるようにして、カバーがケースに対してボルトにて締結されたインバータが知られている（特許文献１）。
【先行技術文献】
【特許文献】
【０００３】
【特許文献１】特開２０１４−１３８４４０号公報
【発明の概要】
【発明が解決しようとする課題】
【０００４】
ケースに収容される電気部品を守るためシール性が高く接着力が強いシール材が選択される場合がある。そのようなシール材が固着すると、例えば修理のためにケースとカバーとの間にドライバー等の棒状の工具を差し込んでカバーをこじ開けようとしても、工具の力がシール材の接着力に負けてカバーを取り外せずに、カバーやケースを変形させるおそれがある。
【０００５】
そこで、本発明は、カバーをケースから容易に取り外すことができる電力制御ユニットを提供することを目的とする。
【課題を解決するための手段】
【０００６】
本発明の一態様に係る電力制御ユニットは、開口部を有していて電力変換器が収容されるケースと、前記ケースの前記開口部の周縁に液状のシール材が塗布された状態で前記開口部を塞ぐようにして前記ケースに取り付けられるカバーと、を備える電力制御ユニットであって、前記カバーには、棒状に延びる工具を挿入可能で前記ケースの前記開口部が開口する方向に貫通する工具挿入孔が形成され、かつ前記周縁と接触する接触部よりも前記ケースの外部側に突出する突出部と、前記工具挿入孔に前記カバーの裏面側から挿入された前記工具を受け止める工具受け部とが設けられているものである。
【図面の簡単な説明】
【０００７】
【図１】本発明の一形態に係る電力制御ユニットの外観を示した斜視図。
【図２】図１のII部を拡大した拡大図。
【図３】ドライバーを工具挿入孔に挿入した状態を示した図。
【図４】ドライバーでカバーを取り外す際の作用を説明した図。
【発明を実施するための形態】
【０００８】
図１及び図２に示した電力制御ユニット（以下、ＰＣＵという。）１は、例えばハイブリッド車や電気自動車等の車両に搭載されて電力制御に使用される。ＰＣＵ１は、インバータやコンバータ等の電力変換器（不図示）を収容するケース２と、ケース２を覆うカバー３とを備えている。ケース２及びカバー３は正面視でほぼ矩形状に構成されている。ケース２は電力変換器を入れるための開口部５を有している。ケース２及びカバー３は、電磁シールド性を確保するために、それぞれ金属材料で構成されている。ケース２はアルミ系材料を鋳造することにより構成されており、カバー３は鋼板材料がプレス加工されることにより構成されている。
【０００９】
カバー３の周囲にはフランジ部６が形成されており、フランジ部６に囲まれた領域にはケース２の開口部５が開口する側に膨らんだ膨出部７が形成されている。フランジ部６には不図示のボルトが挿入されるボルト挿入孔６ａが形成されている。ケース２の周縁８（図２参照）はカバー３のフランジ部６と突き当たるように平坦に形成されており、カバー３のボルト挿入孔６ａと対応する位置に雌ねじ８ａ（図２参照）が形成されている。
【００１０】
図２に示したように、カバー３は、ケース２の周縁８にフォームドインプレイスガスケット（ＦＩＰＧ）が塗布された状態で、開口部５を塞ぎかつボルト挿入孔６ａの位置と雌ねじ８ａの位置とが一致するようにしてフランジ部６が周縁８の上に重ねられる。その状態で、不図示のボルトがフランジ部６のボルト挿入孔６ａを介して雌ねじ８ａにねじ込まれることにより、カバー３がケース２に取り付けられる。ＦＩＰＧは大気中の水分と反応して硬化する特性を有しており、周縁８に塗布されたＦＩＰＧが所定時間経過すると硬化してケース２とカバー３とがシールされる。ＦＩＰＧは上記態様の液状のシール材の一例に相当する。
【００１１】
カバー３には、カバー３とケース２の周縁８とが直接に又はＦＩＰＧを介して接触する接触部９よりもケース２の外部側に突出する突出部１０がフランジ部６と一体に設けられている。突出部１０はカバー３のフランジ部６の角部６ｂに配置されている。突出部１０には、ケース２の開口部５が開口する方向に貫通して、例えばドライバーＤ（図３）を挿入可能な矩形状の工具挿入孔１１が形成されている。ドライバーＤは上記態様に係る棒状に延びる工具の一例に相当する。
【００１２】
カバー３とケース２とがＦＩＰＧにて接着され、かつ上記のボルトが外された状態においてカバー３をケース２から取り外す場合、図３に示したように、ケース２に対向する側であるカバー３の裏面側から工具挿入孔１１に対してドライバーＤを挿入する。そして、図４に示すように、工具挿入孔１１に挿入されたドライバーＤの柄を、ケース２の開口部５の開口方向である上方に持ち上げる。すると、図示するように、ドライバーＤとカバー３の膨出部７とが接触する部位が支点に、ドライバーＤの柄が力点に、工具挿入孔１１の縁が作用点に、それぞれ相当する梃子の原理によってケース２の周縁８に貼り付いたカバー３が剥がされる。本形態は、このような梃子の原理を利用することができるため比較的に小さな力でカバー３をケース２から容易に取り外すことができる。
【００１３】
また、カバー３を取り外す場合に梃子の支点となる部位は、カバー３の角部であって支点に向かって膨らんだ膨出部７に位置する。この部位は他の部位に比べて材料力学的に剛性が高いため、カバー３を取り外す際に当該部位に力が働いてもカバー３は変形しにくい。このように、膨出部７はカバー３の裏面側から工具挿入孔１１に挿入されたドライバーＤを受け止めて梃子の支点となり得るため、膨出部７は上記態様に係る工具受け部の一例に相当する。
【００１４】
さらに、梃子の原理の作用点となる工具挿入孔１１の縁は閉じているから、カバー３を取り外す際に工具挿入孔１１に挿入されたドライバーＤに力を加えてもドライバーＤが工具挿入孔１１から抜けることがない。このため、ドライバーＤが滑って作用点に働く力が逃げてしまうことによりカバー３の取り外しが失敗する事態を回避できる。
【００１５】
（変形例）
上記形態では、液状のシール材としてＦＩＰＧを採用しているが、例えば、紫外線によって硬化する特性を有するキュアードインプレイスガスケット（ＣＩＰＧ）に変更することもできる。上記形態では、工具挿入孔１１が概略矩形状のカバー３の角部６ｂに設けられているが、角部６ｂ以外の任意の箇所、例えば、カバー３のフランジ部６の短辺側の中央部に工具挿入孔１１を設けることができる。
【００１６】
上記形態では、棒状に延びる工具として、ドライバーを使用しているが一例である。例えば、ファスナーを取り外すリムーバーを棒状に延びる工具として使用することも可能である。
【００１７】
上記形態及び上記変形例と上記態様との対応関係をまとめて示すと次の通りとなる。すなわち、上記形態及び上記変形例において、ＦＩＰＧ又はＣＩＰＧが、上記態様に係る液状のシール材の一例に相当し、ドライバーＤ又はリムーバーが、上記態様に係る棒状に延びる工具の一例に相当し、膨出部７が上記態様に係る工具受け部の一例に相当する。
【００１８】
上述した実施の形態及び変形例のそれぞれから導き出される本発明の態様を以下に記載する。
【００１９】
本発明の一態様に係る電力制御ユニットは、開口部（５）を有していて電力変換器が収容されるケース（２）と、前記ケースの前記開口部の周縁（８）に液状のシール材が塗布された状態で前記開口部を塞ぐようにして前記ケースに取り付けられるカバー（３）と、を備える電力制御ユニット（１）であって、前記カバーには、棒状に延びる工具（Ｄ）を挿入可能で前記ケースの前記開口部が開口する方向に貫通する工具挿入孔（１１）が形成され、かつ前記周縁と接触する接触部（９）よりも前記ケースの外部側に突出する突出部（１０）と、前記工具挿入孔に前記カバーの裏面側から挿入された前記工具を受け止める工具受け部（７）とが設けられているものである。なお、上記形態に係る参照符号を括弧書きにて付記したが、上記形態に限定する趣旨ではない。
【００２０】
この態様の制御ユニットによれば、液状のシール材によってカバーがケースに固着した場合、ケースに対面する側であるカバーの裏面側から工具を工具挿入孔に挿入し、開口部の開口方向に工具を操作すると、工具を受け止める工具受け部が支点に、工具の操作部が力点に、工具挿入孔の縁が作用点に、それぞれ相当する梃子の原理によって固着したカバーをケースから剥がすことができる。このように、カバーを取り外す際に梃子の原理を利用できるため、比較的小さな力で容易にカバーをケースから取り外すことができる。
【符号の説明】
【００２１】
１  ＰＣＵ
２  ケース
３  カバー
５  開口部
７  膨出部（工具受け部）
９  接触部
１０  突出部
１１  工具挿入孔
Ｄ  ドライバー（工具）
【図１】
2019106810.tif 000003
【図２】
2019106810.tif 000004
【図３】
2019106810.tif 000005
【図４】
2019106810.tif 000006